(57)【要約】【課題】温度特性を改善する必要が無い光学素子、対物光学素子及び光ピックアップ装置を提供する。【解決手段】本発明の光学素子は、波長λ（３５０ｎｍ≦λ≦４５０ｎｍ）の光束を用いて情報の再生及び／又は記録を行う光ピックアップ装置に用いられる。この光学素子の温度変化に対する屈折率変化ｄｎ／ｄｔは、−１０．０×１０−６／℃≦ｄｎ／ｄｔ≦−１．０×１０−６／℃を満たす。また、光学面に、波長λの光束に対して位相差を付与する位相差付与構造を有する。位相差付与構造は、光源からの出射光束の波長がλから１ｎｍ変動した場合の当該波長変動前後における、光軸方向に同じ位置での収差変動量を０．０５λｒｍｓ以下に補正する機能、又は、温度変化時に光源から光情報記録媒体に至る光路上に配置された光学素子の総合により生じる、集光スポットにおける収差を補正する機能を有する。【選択図】        図１
2004265524.tif 000002
【特許請求の範囲】
【請求項１】
波長λ（３５０ｎｍ≦λ≦４５０ｎｍ）の光束を光情報記録媒体の情報記録面上に集光させることにより、前記光情報記録媒体に対する情報の再生及び／又は記録を行う光ピックアップ装置に用いられる光学素子であって、
温度変化に対する屈折率変化ｄｎ／ｄｔが、
−１０．０×１０−６／℃≦ｄｎ／ｄｔ≦−１．０×１０−６／℃
を満たし、
少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有することを特徴とする光学素子。
【請求項２】
請求項１に記載の光学素子であって、
有効径内において入射光束の光強度分布とは異なったほぼ均一な光強度分布となるように整形して出射することを特徴とする光学素子。
【請求項３】
請求項１に記載の光学素子であって、
ビームエキスパンダーであることを特徴とする光学素子。
【請求項４】
請求項１に記載の光学素子であって、
対物光学素子であることを特徴とする光学素子。
【請求項５】
請求項４に記載の光学素子であって、
前記波長λの光束に対する焦点距離ｆと、前記波長λの光束により前記情報記録面上に形成される集光スポットの開口数ＮＡが、
０．２ｍｍ≦ｆ≦３．５ｍｍ
０．６３≦ＮＡ≦０．９５
を満たすことを特徴とする光学素子。
【請求項６】
請求項１に記載の光学素子であって、
カップリングレンズであることを特徴とする光学素子。
【請求項７】
請求項１〜６のいずれか一項に記載の光学素子であって、
前記光ピックアップ装置に用いられる対物光学素子の前記波長λの光束に対する光学系倍率ｍが、
−０．２５≦ｍ≦−０．１
を満たすことを特徴とする光学素子。
【請求項８】
請求項１〜７のいずれか一項に記載の光学素子であって、
前記位相差付与構造が、光軸を中心とした複数の輪帯面が光軸にほぼ平行な段差を介して連続し、各輪帯を通過した波長λの光束は情報記録面上において位相がほぼ揃っていることを特徴とする光学素子。
【請求項９】
少なくとも、第１の光源から出射される波長λ１（３５０ｎｍ≦λ１≦４５０ｎｍ）の光束を第１の光情報記録媒体の情報記録面上に集光させることにより前記第１の光情報記録媒体に対する情報の再生及び／又は記録を行い、第２の光源から出射される波長λ２（６３０ｎｍ≦λ２≦６８０ｎｍ）の光束を第２の光情報記録媒体の情報記録面上に集光させることにより前記第２の光情報記録媒体に対する情報の再生及び／又は記録を行う光ピックアップ装置に用いられる光学素子であって、
温度変化に対する屈折率変化ｄｎ／ｄｔが、
−１０．０×１０−６／℃≦ｄｎ／ｄｔ≦−１．０×１０−６／℃
を満たし、少なくとも１つの光学面に、前記波長λ１及び／又はλ２の光束に対して位相差を付与する位相差付与構造を有し、該位相差付与構造が、前記各波長の光束に対する、前記光学素子の光学系倍率及び／又は波長の違いによって生じる球面収差を補正する機能を有するか、又は、該位相差付与構造を通過した前記第２の波長λ２の光束を前記第２の光情報記録媒体の情報記録面上に集光させない開口制限機能を有することを特徴とする光学素子。
【請求項１０】
請求項９に記載の光学素子であって、
対物光学素子であると共に、前記波長λ１の光束に対する焦点距離ｆ１と、前記波長λ１の光束により前記情報記録面上に形成される集光スポットの開口数ＮＡ１が、
０．２ｍｍ≦ｆ１≦３．５ｍｍ
０．６３≦ＮＡ１≦０．９５
を満たすことを特徴とする光学素子。
【請求項１１】
請求項９に記載の光学素子であって、
コリメータレンズであることを特徴とする光学素子。
【請求項１２】
請求項９〜１１のいずれか一項に記載の光学素子であって、
前記位相差付与構造が、光軸を中心とした複数の輪帯面が光軸にほぼ平行な段差を介して連続し、各輪帯を通過した波長λ１と波長λ２のうち少なくとも一方の光束は情報記録面上において位相がほぼ揃っていることを特徴とする光学素子。
【請求項１３】
少なくとも、第１の光源から出射される波長λ１（６３０ｎｍ≦λ１≦６８０ｎｍ）の光束を第１の光情報記録媒体の情報記録面上に集光させることにより前記第１の光情報記録媒体に対する情報の再生及び／又は記録を行い、第２の光源から出射される波長λ２（７５０ｎｍ≦λ２≦８００ｎｍ）の光束を第２の光情報記録媒体の情報記録面上に集光させることにより前記第２の光情報記録媒体に対する情報の再生及び／又は記録を行う光ピックアップ装置に用いられる光学素子であって、
温度変化に対する屈折率変化ｄｎ／ｄｔが、
−１０．０×１０−６／℃≦ｄｎ／ｄｔ≦−１．０×１０−６／℃
を満たし、
少なくとも１つの光学面に、前記波長λ１及び／又はλ２の光束に対して位相差を付与する位相差付与構造を有し、該位相差付与構造が、各波長の光束に対する、主に基板厚の違いによって生じる球面収差を補正する機能を有するか、又は、該位相差付与構造を通過した前記第２の波長λ２の光束を前記第２の光情報記録媒体の情報記録面上に集光させない開口制限機能を有し、
前記光ピックアップ装置に用いられる対物光学素子の、前記波長λ１の光束に対する光学系倍率ｍ１と、前記波長λ２の光束に対する光学系倍率ｍ２が、
ｍ１≠０
ｍ２≠０
を満たすことを特徴とする光学素子。
【請求項１４】
請求項１３に記載の光学素子であって、
前記光学系倍率ｍ１が、
−０．３≦ｍ１≦−０．１
を満たすことを特徴とする光学素子。
【請求項１５】
請求項１３に記載の光学素子であって、
カップリングレンズであることを特徴とする光学素子。
【請求項１６】
請求項１３に記載の光学素子であって、
該光学素子が前記対物光学素子であることを特徴とする光学素子。
【請求項１７】
請求項１６に記載の光学素子であって、
前記波長λ１の光束に対する焦点距離ｆ１と、前記波長λ１の光束により前記情報記録面上に形成される集光スポットの開口数ＮＡ１が、
０．５ｍｍ≦ｆ１≦３．５ｍｍ
０．５５≦ＮＡ１≦０．７５
を満たすことを特徴とする光学素子。
【請求項１８】
請求項１３〜１７のいずれか一項に記載の光学素子であって、
前記位相差付与構造が、光軸を中心とした複数の輪帯面が光軸にほぼ平行な段差を介して連続し、各輪帯を通過した波長λ１と波長λ２のうち少なくとも一方の光束は情報記録面上において位相がほぼ揃っていることを特徴とする光学素子。
【請求項１９】
請求項１３〜１８のいずれか一項に記載の光学素子であって、
前記第１の光源と前記第２の光源とが一体化している光ピックアップ装置に用いられることを特徴とする光学素子。
【請求項２０】
波長λ（６３０ｎｍ≦λ≦６８０ｎｍ）の光束を光情報記録媒体の情報記録面上に集光させることにより前記光情報記録媒体に対する情報の再生及び／又は記録を行う光ピックアップ装置に用いられる光学素子であって、
温度変化に対する屈折率変化ｄｎ／ｄｔが、
−１０．０×１０−６／℃≦ｄｎ／ｄｔ≦−１．０×１０−６／℃
を満たし、
少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有し、
前記光ピックアップ装置に用いられる対物光学素子の、前記波長λの光束に対する光学系倍率ｍが、
ｍ≠０
を満たすことを特徴とする光学素子。
【請求項２１】
請求項２０に記載の光学素子であって、
前記光学系倍率ｍが、
−０．３≦ｍ≦−０．１
を満たすことを特徴とする光学素子。
【請求項２２】
請求項２０に記載の光学素子であって、
カップリングレンズであることを特徴とする光学素子。
【請求項２３】
請求項２０に記載の光学素子であって、
該光学素子が前記対物光学素子であることを特徴とする光学素子。
【請求項２４】
請求項２３に記載の光学素子であって、
前記波長λの光束に対する焦点距離ｆと、前記波長λの光束により前記情報記録面上に形成される集光スポットの開口数ＮＡが、
０．５ｍｍ≦ｆ≦３．５ｍｍ
０．５５≦ＮＡ≦０．７５
を満たすことを特徴とする光学素子。
【請求項２５】
請求項２０〜２４のいずれか一項に記載の光学素子であって、
前記位相差付与構造が、光軸を中心とした複数の輪帯面が光軸にほぼ平行な段差を介して連続し、各輪帯を通過した波長λの光束は情報記録面上において位相がほぼ揃っていることを特徴とする光学素子。
【請求項２６】
請求項１〜２５のいずれか一項に記載の光学素子であって、
前記位相差付与構造が、回折構造であることを特徴とする光学素子。
【請求項２７】
請求項１〜２６のいずれか一項に記載の光学素子であって、
前記位相差付与構造が、光軸を中心とした複数の回折輪帯と、これら回折輪帯のうち少なくとも一つの回折輪帯の光学面に形成される光軸方向に沿った階段状の不連続面とからなることを特徴とする光学素子。
【請求項２８】
請求項１〜２７のいずれか一項に記載の光学素子であって、
光学材料としてのガラス材料により成形されていることを特徴とする光学素子。
【請求項２９】
請求項１〜２８のいずれか一項に記載の光学素子であって、
光学材料の分散ν、屈折率ｎが、
６５≦ν≦７５
１．４８≦ｎ≦１．５２
を満たすことを特徴とする光学素子。
【請求項３０】
請求項１〜２９のいずれか一項に記載の光学素子であって、
光学材料の融点Ｔが、
２５０℃≦Ｔ≦３００℃
を満たすことを特徴とする光学素子。
【請求項３１】
請求項１〜３０のいずれか一項に記載の光学素子を備える光ピックアップ装置。
【請求項３２】
少なくとも波長λ（３５０ｎｍ≦λ≦４５０ｎｍ）の光束を光情報記録媒体の情報記録面上に集光させることにより前記光情報記録媒体に対する情報の再生及び／又は記録を行う光ピックアップ装置に用いられる対物光学素子であって、
温度変化に対する屈折率変化ｄｎ／ｄｔ、前記波長λの光束に対する焦点距離ｆ、前記波長λの光束により前記情報記録面上に形成される集光スポットの開口数ＮＡが、
−１０．０×１０−６／℃≦ｄｎ／ｄｔ≦−１．０×１０−６／℃
０．２ｍｍ≦ｆ≦１．０ｍｍ
０．５５≦ＮＡ≦０．７０
を満たし、
少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有することを特徴とする対物光学素子。
【請求項３３】
請求項３２に記載の対物光学素子であって、
前記波長λの光束に対する光学系倍率ｍが、
−０．２５≦ｍ≦−０．１
を満たすことを特徴とする対物光学素子。
【請求項３４】
請求項３２〜３３のいずれか一項に記載の対物光学素子であって、
前記位相差付与構造が、光軸を中心とした複数の輪帯面が光軸にほぼ平行な段差を介して連続し、各輪帯を通過した波長λの光束は情報記録面上において位相がほぼ揃っていることを特徴とする対物光学素子。
【請求項３５】
請求項３２〜３４のいずれか一項に記載の対物光学素子であって、
前記位相差付与構造が、回折構造であることを特徴とする対物光学素子。
【請求項３６】
請求項３２〜３５のいずれか一項に記載の対物光学素子であって、
前記位相差付与構造が、光軸を中心とした複数の回折輪帯と、これら回折輪帯のうち少なくとも一つの回折輪帯の光学面に形成される光軸方向に沿った階段状の不連続面とからなることを特徴とする対物光学素子。
【請求項３７】
請求項３２〜３６のいずれか一項に記載の対物光学素子であって、
光学材料としてのガラス材料により成形されていることを特徴とする対物光学素子。
【請求項３８】
請求項３２〜３７のいずれか一項に記載の対物光学素子であって、
光学材料の分散ν、屈折率ｎが、
６５≦ν≦７５
１．４８≦ｎ≦１．５２
を満たすことを特徴とする対物光学素子。
【請求項３９】
請求項３２〜３８のいずれか一項に記載の対物光学素子であって、
光学材料の融点Ｔが、
２５０℃≦Ｔ≦３００℃
を満たすことを特徴とする対物光学素子。
【請求項４０】
請求項３２〜３９のいずれか一項に記載の対物光学素子を備える光ピックアップ装置。
【発明の詳細な説明】
【０００１】
【発明の属する技術分野】
本発明は、光学素子、対物光学素子及び光ピックアップ装置に関する。
【０００２】
【従来の技術】
ＣＤ（コンパクトディスク）やＤＶＤ（デジタルビデオディスク）などの光情報記録媒体（光ディスクともいう）の情報記録面にレーザー光を集光させることにより情報の記録及び／又は再生を行なう光ピックアップ装置は、対物レンズ、カップリングレンズ、ビームエキスパンダー等、種々の光学素子を組み合わせて構成されている。
これら光学素子は軽量かつ安価なプラスチック製であることが多いが、プラスチックは温度変化により屈折率が変化するという特徴を有するため、例えばプラスチック製の対物レンズでは、温度上昇により球面収差がオーバー方向に発生するという問題が生じる。
【０００３】
そこで、このような温度変化に対するレンズの特性（温度特性）を改善するべく、対物レンズの光学面に回折構造を設け、回折構造により球面収差をアンダー方向に発生させることにより、温度上昇によりオーバー方向に発生した球面収差を相殺する技術が知られている。
また、光源から出射される光束のパワーを上昇させる際に、光束の波長が瞬間的に変動する、いわゆるモードホップが生じると、光軸上に形成される集光スポットの位置が光ディスクの情報記録面からずれるという問題が生じる。
【０００４】
そこで、このような波長変化に対するレンズ特性（波長特性）の補正（以下、「モードホップ補正」ともいう。）を行なうための手段としても、光学素子に設けた回折構造を利用する技術が知られている。
なお、モードホップ補正とは、上記波長変動前後での、集光スポットにおける収差（軸上色収差と球面色収差とを合わせた収差）を回折限界以下に補正することをいう。
また、例えば、レーザー光源の個体差に起因して、出射光束の波長がレーザー光源毎に異なる場合があるが、この場合、アクチュエータにより対物レンズの位置を光情報記録媒体に対して相対的に光軸方向に移動させることにより、上記収差のうち軸上色収差については補正可能であり、球面収差のみを回折構造を利用して補正することになる。
なお、モードホップ等の瞬間的変化以外の環境変化に対しては、上述のように、アクチュエータを用いて対物レンズを光情報記録媒体に対して相対的に移動させることにより、通常、光情報記録媒体の情報記録面の光軸方向の位置は、集光スポットの波面収差が最小となる位置に調節されている。
【０００５】
また、１つの対物レンズを用いて、波長λ１とλ２の２種類の光束をそれぞれ異なる種類の光ディスクに集光させる、いわゆる互換性を有する光ピックアップ装置では、例えば、対物レンズの一部に回折構造を設けることにより、この回折構造を通過する波長λ２の光束をフレア化させ、光ディスクに集光させない構成とすることにより、波長λ２の光束に対する対物レンズの開口数を制限する機能（開口制限機能）を持たせる技術や、回折構造により回折作用を受ける波長λ１及び波長λ２の光束のうち、最も回折効率が高くなる次数の回折光を利用することで、情報の記録及び／又は再生に十分な光量を得る技術が知られている。
【０００６】
また、対物レンズ以外の他の光学素子（カップリングレンズ、ビームエキスパンダー等）もプラスチック製である場合には、これら光学素子から構成される光学系全体の温度特性を、光学系の最後部に配置される対物レンズに設けた回折構造により補正する技術が知られている。
【０００７】
このように、近年、回折構造は温度特性の改善以外に様々な用途に用いられており、これら全ての要求を満たすことが可能な対物レンズ及び光ピックアップ装置について研究開発が進められている。
例えば、ＣＤ／ＤＶＤ互換用の光ピックアップ装置の対物レンズとして、プラスチック製の対物レンズの入射面に、光軸を中心とする同心円状の回折面（回折輪帯）を形成したものが知られている（例えば、特許文献１参照。）。
各回折輪帯のピッチは、光軸からレンズの径方向の所定位置を占める中央領域（共有領域）内で単調に減少し、中央領域の周辺に位置する周辺領域（専用領域）内で減少している。そして、ＣＤ用の光束のうち、周辺領域を通る光束をフレアー光とすることで、ＣＤの情報記録面上に集光させず、中央領域を通る光束をＣＤの情報記録面上に集光させるようになっている。
【０００８】
そして、ＣＤ用の光束のフレアー光の割合（フレアー量）を多くするほど、ＤＶＤにおける波長特性が良くなり、フレアー量を少なくするほどＤＶＤにおける温度特性が良くなる傾向があることを利用して、フレアー量を適切に調節することにより、ＤＶＤとＣＤとの互換性を確保しつつ、ＤＶＤの波長特性と温度特性とを両立させている。
【０００９】
【特許文献１】
特開２００２−１０９７７５号公報
【００１０】
【発明が解決しようとする課題】
ところで、特許文献１に開示された対物レンズや、一般的な光ピックアップ装置を構成する他の光学素子の多くはプラスチック製であるため、上記温度特性の改善が必須となる。従って、上述した温度特性を改善する機能と、波長特性を含む種々の問題を改善する機能とを、例えば、対物レンズに設けた回折構造に持たせるようなレンズ設計が困難であるという問題が生じている。
【００１１】
本発明の課題は、上述の問題を考慮したものであり、温度特性を改善する必要が無い光学素子、対物光学素子及び光ピックアップ装置を提供することである。
【００１２】
【課題を解決するための手段】
以上の課題を解決するため、請求項１に記載の発明は、波長λ（３５０ｎｍ≦λ≦４５０ｎｍ）の光束を光情報記録媒体の情報記録面上に集光させることにより、前記光情報記録媒体に対する情報の再生及び／又は記録を行う光ピックアップ装置に用いられる光学素子であって、温度変化に対する屈折率変化ｄｎ／ｄｔが、−１０．０×１０−６／℃≦ｄｎ／ｄｔ≦−１．０×１０−６／℃を満たし、少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有することを特徴とする。
【００１３】
ここで、本明細書中において光学素子には、光ピックアップ装置の集光光学系を構成する、例えば、対物光学素子（対物レンズ）、カップリングレンズ、ビームエキスパンダ、ビームシェイパ、補正板等の部材が該当する。
また、光学素子としては、単一のレンズのみで構成されているものに限定されず、複数のレンズを光軸方向に組み合わせて構成されるレンズ群をまとめて光学素子としてもよい。
また、対物光学素子（対物レンズ）とは、狭義には光ピックアップ装置に光情報記録媒体を装填した状態で、最も光情報記録媒体に近い位置において、光情報記録媒体と対向して配置される集光作用を有する光学素子を指す。また、広義にはその光学素子とともに、アクチュエータによって少なくともその光軸方向に移動可能な光学素子を指すものとする。
【００１４】
また、光情報記録媒体とはＣＤ、ＤＶＤの他に、光源波長や保護基板厚が異なる種々の規格の光ディスク、例えばＣＤ−Ｒ，ＲＷ（追記型コンパクトディスク）、ＶＤ（ビデオディスク）、ＭＤ（ミニディスク）、ＭＯ（光磁気ディスク）などの一般的な光ディスクや、波長４００ｎｍ程度の青色レーザー光を用いる高密度の光ディスク（以下、「高密度ＤＶＤ」という。）も含む。
【００１５】
また、位相差付与構造とは、入射光束に対して所定の位相差を付与することにより、この光束に対して特定の作用を与える構造を指すものであり、必ずしも回折作用に限定されるものではない。
位相差付与構造としては、例えば、光軸を含む平面（子午断面）でその断面をみた場合に鋸歯状あるいは光軸方向に沿った階段状となった構造などを指す。
【００１６】
請求項１に記載の発明によれば、光学素子の温度変化に対する屈折率変化ｄｎ／ｄｔが、−１０．０×１０−６／℃≦ｄｎ／ｄｔ≦−１．０×１０−６／℃を満たし、少なくとも一つの光学面に、波長λの光束に対して位相差を付与する位相差付与構造を有する。
従って、従来より用いられているプラスチック製の一般的な光学素子と比較して、温度変化に対する収差変化を小さくすることができる。従って、対物レンズ等の光学素子に対して温度依存性が低いガラスを用いることが可能となる。
【００１７】
従って、従来のプラスチック製の対物レンズでは、温度特性と波長特性等、複数の特性の改善が可能となるように位相差付与構造を設計する必要があったが、本発明に係る光学素子によれば、ガラス材料で成形されることから、温度特性を考慮する必要が無くなり、位相差付与構造が温度特性を改善（補正）する必要が無くなり、各種収差補正の精度を向上できると共に、レンズ設計の自由度を増やすことができる。
【００１８】
また、例えば、モードホップにより光源からの出射光束の波長が変動した場合でも、色消しを有効に行なうことができる。
あるいは、光ピックアップ装置の光学系全体の温度特性を改善できる。
【００１９】
請求項２に記載の発明は、請求項１に記載の光学素子であって、有効径内において入射光束の光強度分布とは異なったほぼ均一な光強度分布となるように整形して出射することを特徴とする。
請求項３に記載の発明は、請求項１に記載の光学素子であって、ビームエキスパンダーであることを特徴とする。
請求項４に記載の発明は、請求項１に記載の光学素子であって、対物光学素子であることを特徴とする。
【００２０】
請求項５に記載の発明は、請求項４に記載の光学素子であって、前記波長λの光束に対する焦点距離ｆと、前記波長λの光束により前記情報記録面上に形成される集光スポットの開口数ＮＡが、０．２ｍｍ≦ｆ≦３．５ｍｍ、０．６３≦ＮＡ≦０．９５を満たすことを特徴とする。
【００２１】
請求項５に記載の発明によれば、請求項４と同様の効果を得られるとともに、青色レーザー光を用いる高密度ＤＶＤに対する情報の記録及び／又は再生を行なう光ピックアップ装置を得ることができる。
【００２２】
請求項６に記載の発明は、請求項１に記載の光学素子であって、カップリングレンズであることを特徴とする。
【００２３】
請求項７に記載の発明は、請求項１〜６のいずれか一項に記載の光学素子であって、前記光ピックアップ装置に用いられる対物光学素子の前記波長λの光束に対する光学系倍率ｍが、−０．２５≦ｍ≦−０．１を満たすことを特徴とする。
【００２４】
請求項７に記載の発明によれば、請求項１〜６のいずれか一項と同様の効果を得られると共に、青色レーザー光を用いる高密度ＤＶＤに対する情報の記録及び／又は再生を行なう有限系の光ピックアップ装置を得ることができる。
【００２５】
請求項８に記載の発明は、請求項１〜７のいずれか一項に記載の光学素子であって、前記位相差付与構造が、光軸を中心とした複数の輪帯面が光軸にほぼ平行な段差を介して連続し、各輪帯を通過した波長λの光束は情報記録面上において位相がほぼ揃っていることを特徴とする。
【００２６】
請求項８に記載の発明によれば、請求項１〜７のいずれか一項と同様の効果を得られるとともに、位相差付与構造の各輪帯を通過した波長λの光束は情報記録面上において位相がほぼ揃うので、波面収差を補正することができる。また、回折光を利用しないので、位相差付与構造に入射した光束の光量の低下を抑えて情報記録面上に集光させることができる。
【００２７】
請求項９に記載の発明は、少なくとも、第１の光源から出射される波長λ１（３５０ｎｍ≦λ１≦４５０ｎｍ）の光束を第１の光情報記録媒体の情報記録面上に集光させることにより前記第１の光情報記録媒体に対する情報の再生及び／又は記録を行い、第２の光源から出射される波長λ２（６３０ｎｍ≦λ２≦６８０ｎｍ）の光束を第２の光情報記録媒体の情報記録面上に集光させることにより前記第２の光情報記録媒体に対する情報の再生及び／又は記録を行う光ピックアップ装置に用いられる光学素子であって、温度変化に対する屈折率変化ｄｎ／ｄｔが、−１０．０×１０−６／℃≦ｄｎ／ｄｔ≦−１．０×１０−６／℃を満たし、少なくとも１つの光学面に、前記波長λ１及び／又はλ２の光束に対して位相差を付与する位相差付与構造を有し、該位相差付与構造が、各波長の光束に対する、前記光学素子の光学系倍率及び／又は波長の違いによって生じる球面収差を補正する機能を有するか、又は、該位相差付与構造を通過した前記第２の波長λ２の光束を前記第２の光情報記録媒体の情報記録面上に集光させない開口制限機能を有することを特徴とする。
【００２８】
請求項９に記載の発明によれば、光ピックアップ装置が互換性を有するとともに、光学素子の温度変化に対する屈折率変化ｄｎ／ｄｔが、−１０．０×１０−６／℃≦ｄｎ／ｄｔ≦−１．０×１０−６／℃を満たし、少なくとも一つの光学面に、波長λ１又はλ２の光束に対して位相差を付与する位相差付与構造を有する。
従って、従来より用いられているプラスチック製の一般的な光学素子と比較して、温度変化に対する収差変化を小さくすることができる。従って、対物レンズ等の光学素子に対して温度依存性が低いガラスを用いることが可能となる。
【００２９】
従って、従来のプラスチック製の対物レンズでは、温度特性と波長特性等、複数の特性の改善が可能となるように位相差付与構造を設計する必要があったが、本発明に係る光学素子によれば、ガラス材料で成形されることから、互換性を有する場合であっても、温度特性を考慮する必要が無くなり、位相差付与構造が温度特性を改善（補正）する必要が無くなり、各種収差補正の精度を向上できると共に、レンズ設計の自由度を増やすことができる。
また、高密度ＤＶＤとＤＶＤとの互換性を有する光ピックアップ装置を得ることができる。
光学素子において、第１及び第２の光情報記録媒体の記録及び／又は再生に用いられる波長λ１とλ２の光が共通して通過する領域に位相差付与構造を設けると互換の機能を有することができ、第１の光情報記録媒体の記録及び／又は再生に用いられ、第２の光情報記録媒体の記録及び／又は再生に用いられない光が通過する領域に位相差付与構造を設けると開口制限機能を有することができる。
また、光学素子が開口制限機能を有するので、対物レンズの入射面側に絞りを配置する必要が無くなる、あるいは、絞りを配置した場合でも、開口制限機能と絞りを併用することにより、光情報記録媒体の種類に応じた適切な開口数を得られる。
【００３０】
請求項１０に記載の発明は、請求項９に記載の光学素子であって、対物光学素子であると共に、前記波長λ１の光束に対する焦点距離ｆ１と、前記波長λ１の光束により前記情報記録面上に形成される集光スポットの開口数ＮＡ１が、０．２ｍｍ≦ｆ１≦３．５ｍｍ０．６３≦ＮＡ１≦０．９５を満たすことを特徴とする。
【００３１】
請求項１０に記載の発明によれば、請求項９と同様の効果を得られるとともに、波長λ１の光束としての青色レーザー光を適切に情報記録面上に集光させ、高密度ＤＶＤに対する情報の記録及び／又は再生を行ない、波長λ２の光束を適切に情報記録面上に集光させ、ＤＶＤに対する情報の記録及び／又は再生を行なう光ピックアップ装置を得ることができる。
【００３２】
請求項１１に記載の発明は、請求項９に記載の光学素子であって、コリメータレンズであることを特徴とする。
【００３３】
請求項１２に記載の発明は、請求項９〜１１のいずれか一項に記載の光学素子であって、前記位相差付与構造が、光軸を中心とした複数の輪帯面が光軸にほぼ平行な段差を介して連続し、各輪帯を通過した波長λ１と波長λ２のうち少なくとも一方の光束は情報記録面上において位相がほぼ揃っていることを特徴とする。
【００３４】
請求項１２に記載の発明によれば、請求項９〜１１のいずれか一項と同様の効果を得られるとともに、位相差付与構造の各輪帯を通過した波長λ１と波長λ２のうち少なくとも一方の光束は情報記録面上において位相がほぼ揃うので、波面収差を補正することができる。また、回折光を利用しないので、位相差付与構造に入射した光束の光量の低下を抑えて情報記録面上に集光させることができる。
【００３５】
請求項１３に記載の発明は、少なくとも、第１の光源から出射される波長λ１（６３０ｎｍ≦λ１≦６８０ｎｍ）の光束を第１の光情報記録媒体の情報記録面上に集光させることにより前記第１の光情報記録媒体に対する情報の再生及び／又は記録を行い、第２の光源から出射される波長λ２（７５０ｎｍ≦λ２≦８００ｎｍ）の光束を第２の光情報記録媒体の情報記録面上に集光させることにより前記第２の光情報記録媒体に対する情報の再生及び／又は記録を行う光ピックアップ装置に用いられる光学素子であって、温度変化に対する屈折率変化ｄｎ／ｄｔが、−１０．０×１０−６／℃≦ｄｎ／ｄｔ≦−１．０×１０−６／℃を満たし、少なくとも１つの光学面に、前記波長λ１及び／又はλ２の光束に対して位相差を付与する位相差付与構造を有し、該位相差付与構造が、各波長の光束に対する、主に基板厚の違いによって生じる球面収差を補正する機能を有するか、又は、該位相差付与構造を通過した前記第２の波長λ２の光束を前記第２の光情報記録媒体の情報記録面上に集光させない開口制限機能を有し、前記光ピックアップ装置に用いられる対物光学素子の、前記波長λ１の光束に対する光学系倍率ｍ１と、前記波長λ２の光束に対する光学系倍率ｍ２が、ｍ１≠０、ｍ２≠０を満たすことを特徴とする。
【００３６】
請求項１３に記載の発明によれば、光学素子の温度変化に対する屈折率変化ｄｎ／ｄｔが、−１０．０×１０−６／℃≦ｄｎ／ｄｔ≦−１．０×１０−６／℃を満たし、少なくとも一つの光学面に、波長λ１又はλ２の光束に対して位相差を付与する位相差付与構造を有する。
従って、従来より用いられているプラスチック製の一般的な光学素子と比較して、温度変化に対する収差変化を小さくすることができる。従って、対物レンズ等の光学素子に対して温度依存性が低いガラスを用いることが可能となる。
【００３７】
従って、従来のプラスチック製の対物レンズでは、温度特性と波長特性等、複数の特性の改善が可能となるように位相差付与構造を設計する必要があったが、本発明に係る光学素子によれば、ガラス材料で成形されることから、温度特性を考慮する必要が無くなり、位相差付与構造が温度特性を改善（補正）する必要が無くなり、有限かつ互換性を有する光ピックアップ装置において、各種収差補正の精度を向上できると共に、レンズ設計の自由度を増やすことができる。
また、ＤＶＤとＣＤとの互換性を有する光ピックアップ装置を得ることができる。
光学素子において、第１及び第２の光情報記録媒体の記録及び／又は再生に用いられる波長λ１とλ２の光が共通して通過する領域に位相差付与構造を設けると互換の機能を有することができ、第１の光情報記録媒体の記録及び／又は再生に用いられ、第２の光情報記録媒体の記録及び／又は再生に用いられない光が通過する領域に位相差付与構造を設けると開口制限機能を有することができる。
また、光学素子が開口制限機能を有するので、対物レンズの入射面側に絞りを配置する必要が無くなる、あるいは、絞りを配置した場合でも、開口制限機能と絞りを併用することにより、光情報記録媒体の種類に応じた適切な開口数を得られる。
【００３８】
請求項１４に記載の発明は、請求項１３に記載の光学素子であって、
前記光学系倍率ｍ１が、−０．３≦ｍ１≦−０．１を満たすことを特徴とする。
【００３９】
請求項１５に記載の発明は、請求項１３に記載の光学素子であって、カップリングレンズであることを特徴とする。
請求項１６に記載の発明は、請求項１３に記載の光学素子であって、該光学素子が前記対物光学素子であることを特徴とする。
【００４０】
請求項１７に記載の発明は、請求項１６に記載の光学素子であって、前記波長λ１の光束に対する焦点距離ｆ１と、前記波長λ１の光束により前記情報記録面上に形成される集光スポットの開口数ＮＡ１が、０．５ｍｍ≦ｆ１≦３．５ｍｍ０．５５≦ＮＡ１≦０．７５を満たすことを特徴とする。
【００４１】
請求項１７に記載の発明によれば、請求項１６と同様の効果を得られるとともに、波長λ１の光束を適切に情報記録面上に集光させ、ＤＶＤに対する情報の記録及び／又は再生を行ない、波長λ２の光束を適切に情報記録面上に集光させ、ＣＤに対する情報の記録及び／又は再生を行なう光ピックアップ装置を得ることができる。
【００４２】
請求項１８に記載の発明は、請求項１３〜１７のいずれか一項に記載の光学素子であって、前記位相差付与構造が、光軸を中心とした複数の輪帯面が光軸にほぼ平行な段差を介して連続し、各輪帯を通過した波長λ１と波長λ２のうち少なくとも一方の光束は情報記録面上において位相がほぼ揃っていることを特徴とする。
【００４３】
請求項１８に記載の発明によれば、請求項１３〜１７のいずれか一項と同様の効果を得られるとともに、位相差付与構造の各輪帯を通過した波長λ１と波長λ２のうち少なくとも一方の光束は情報記録面上において位相がほぼ揃うので、波面収差を補正することができる。また、回折光を利用しないので、位相差付与構造に入射した光束の光量の低下を抑えて情報記録面上に集光させることができる。
【００４４】
請求項１９に記載の発明は、請求項１３〜１８のいずれか一項に記載の光学素子であって、前記第１の光源と前記第２の光源とが一体化している光ピックアップ装置に用いられることを特徴とする
【００４５】
請求項２０に記載の発明は、波長λ（６３０ｎｍ≦λ≦６８０ｎｍ）の光束を光情報記録媒体の情報記録面上に集光させることにより前記光情報記録媒体に対する情報の再生及び／又は記録を行う光ピックアップ装置に用いられる光学素子であって、温度変化に対する屈折率変化ｄｎ／ｄｔが、−１０．０×１０−６／℃≦ｄｎ／ｄｔ≦−１．０×１０−６／℃を満たし、少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有し、前記光ピックアップ装置に用いられる対物光学素子の、前記波長λの光束に対する光学系倍率ｍが、ｍ≠０を満たすことを特徴とする。
【００４６】
請求項２０に記載の発明によれば、光学素子の温度変化に対する屈折率変化ｄｎ／ｄｔが、−１０．０×１０−６／℃≦ｄｎ／ｄｔ≦−１．０×１０−６／℃を満たし、少なくとも一つの光学面に、波長λの光束に対して位相差を付与する位相差付与構造を有する。
従って、従来より用いられているプラスチック製の一般的な光学素子と比較して、温度変化に対する収差変化を小さくすることができる。従って、対物レンズ等の光学素子に対して温度依存性が低いガラスを用いることが可能となる。
【００４７】
従って、従来のプラスチック製の対物レンズでは、温度特性と波長特性等、複数の特性の改善が可能となるように位相差付与構造を設計する必要があったが、本発明に係る光学素子によれば、ガラス材料で成形されることから、温度特性を考慮する必要が無くなり、位相差付与構造が温度特性を改善（補正）する必要が無くなり、有限系の光ピックアップ装置において、各種収差補正の精度を向上できると共に、レンズ設計の自由度を増やすことができる。
また、例えば、モードホップにより光源からの出射光束の波長が変動した場合でも、色消しを有効に行なうことができる。
あるいは、光ピックアップ装置の光学系全体の温度特性を改善できる。
【００４８】
請求項２１に記載の発明は、請求項２０に記載の光学素子であって、前記光学系倍率ｍが、−０．３≦ｍ≦−０．１を満たすことを特徴とする。
【００４９】
請求項２２に記載の発明は、請求項２０に記載の光学素子であって、カップリングレンズであることを特徴とする。
【００５０】
請求項２３に記載の発明は、請求項２０に記載の光学素子であって、該光学素子が前記対物光学素子であることを特徴とする。
【００５１】
請求項２４に記載の発明は、請求項２３に記載の光学素子であって、前記波長λの光束に対する焦点距離ｆと、前記波長λの光束により前記情報記録面上に形成される集光スポットの開口数ＮＡが、０．５ｍｍ≦ｆ≦３．５ｍｍ、０．５５≦ＮＡ≦０．７５を満たすことを特徴とする。
【００５２】
請求項２４に記載の発明によれば、請求項２３と同様の効果を得られるとともに、ＤＶＤ又はＭＯに対する情報の記録及び／又は再生を行なう有限系の光ピックアップ装置を得ることができる。
【００５３】
請求項２５に記載の発明は、請求項２０〜２４のいずれか一項に記載の光学素子であって、前記位相差付与構造が、光軸を中心とした複数の輪帯面が光軸にほぼ平行な段差を介して連続し、各輪帯を通過した波長λの光束は情報記録面上において位相がほぼ揃っていることを特徴とする。
【００５４】
請求項２５に記載の発明によれば、請求項２０〜２４のいずれか一項と同様の効果を得られるとともに、位相差付与構造の各輪帯を通過した波長λの光束は情報記録面上において位相がほぼ揃うので、波面収差を補正することができる。また、回折光を利用しないので、位相差付与構造に入射した光束の光量の低下を抑えて情報記録面上に集光させることができる。
【００５５】
請求項２６に記載の発明は、請求項１〜２５のいずれか一項に記載の光学素子であって、前記位相差付与構造が、回折構造であることを特徴とする。
【００５６】
請求項２７に記載の発明は、請求項１〜２６のいずれか一項に記載の光学素子であって、前記位相差付与構造が、光軸を中心とした複数の回折輪帯と、これら回折輪帯のうち少なくとも一つの回折輪帯の光学面に形成される光軸方向に沿った階段状の不連続面とからなることを特徴とする。
【００５７】
請求項２７に記載の発明によれば、請求項１〜２６のいずれか一項と同様の効果を得られるとともに、階段状の不連続面が回折構造であれば、光学素子に形成した回折輪帯と階段状の不連続面との二段階で波長λの光束の回折次数を実質的に変化させることができるので、回折次数を適宜変化させて、光情報記録媒体に対する情報の記録及び／又は再生に応じた十分な光量を有する回折光を得ることができる。また、回折効率や回折次数に対する設計の自由度を増やすことができる。
また、階段状の不連続面が、光軸を中心とした複数の輪帯面であり、かつ、光軸にほぼ平行な段差を介して連続する構造であれば、各輪帯を通過した光束は情報記録面上において位相がほぼ揃うので、波面収差を補正することができる。また、回折光を利用しないので、位相差付与構造に入射した光束の光量の低下を抑えて情報記録面上に集光させることができる。
【００５８】
請求項２８に記載の発明は、請求項１〜２７のいずれか一項に記載の光学素子であって、光学材料としてのガラス材料により成形されていることを特徴とする。
請求項２９に記載の発明は、請求項１〜２８のいずれか一項に記載の光学素子であって、光学材料の分散ν、屈折率ｎが、６５≦ν≦７５、１．４８≦ｎ≦１．５２を満たすことを特徴とする。
【００５９】
請求項３０に記載の発明は、請求項１〜２９のいずれか一項に記載の光学素子であって、光学材料の融点Ｔが、２５０℃≦Ｔ≦３００℃を満たすことを特徴とする。
【００６０】
請求項３０に記載の発明によれば、請求項１〜２９のいずれか一項と同様の効果を得られるとともに、融点が一般的なガラス材料と比較して低い光学材料を用いるので、加工性が高くなり、従来では困難であったガラスレンズに対しても位相差付与構造を比較的容易に成形することが可能となる。
【００６１】
請求項３１に記載の光ピックアップ装置は、請求項１〜３０のいずれか一項に記載の光学素子を備えることを特徴とする。
【００６２】
請求項３２に記載の発明は、少なくとも波長λ（３５０ｎｍ≦λ≦４５０ｎｍ）の光束を光情報記録媒体の情報記録面上に集光させることにより前記光情報記録媒体に対する情報の再生及び／又は記録を行う光ピックアップ装置に用いられる対物光学素子であって、温度変化に対する屈折率変化ｄｎ／ｄｔ、前記波長λの光束に対する焦点距離ｆ、前記波長λの光束により前記情報記録面上に形成される集光スポットの開口数ＮＡが、−１０．０×１０−６／℃≦ｄｎ／ｄｔ≦−１．０×１０−６／℃、０．２ｍｍ≦ｆ≦１．０ｍｍ、０．５５≦ＮＡ≦０．７０を満たし、少なくとも１つの光学面に、前記波長λの光束に対して位相差を付与する位相差付与構造を有し、該位相差付与構造が、光源からの出射光束の波長がλから１ｎｍ変動した場合の当該波長変動前後における、光軸方向に同じ位置での収差変動量を０．０５λｒｍｓ以下に補正する機能、又は、温度変化時に光源から前記光情報記録媒体に至る光路上に配置された光学素子の総合により生じる、前記情報記録面上の集光スポットにおける収差を補正する機能を有することを特徴とする。
【００６３】
請求項３２に記載の発明によれば、対物光学素子の温度変化に対する屈折率変化ｄｎ／ｄｔが、−１０．０×１０−６／℃≦ｄｎ／ｄｔ≦−１．０×１０−６／℃を満たし、少なくとも一つの光学面に、波長λの光束に対して位相差を付与する位相差付与構造を有する。
従って、従来より用いられているプラスチック製の一般的な光学素子と比較して、温度変化に対する収差変化を小さくすることができる。従って、対物レンズ等の光学素子に対して温度依存性が低いガラスを用いることが可能となる。
【００６４】
従って、従来のプラスチック製の対物レンズでは、温度特性と波長特性等、複数の特性の改善が可能となるように位相差付与構造を設計する必要があったが、本発明に係る対物光学素子（対物レンズ）によれば、ガラス材料で成形されることから、温度特性を考慮する必要が無くなり、位相差付与構造が温度特性を改善（補正）する必要が無くなり、各種収差補正の精度を向上できると共に、レンズ設計の自由度を増やすことができる。
また、比較的小径の対物レンズにより、青色レーザー光を利用して情報の記録及び／又は再生を行なう光ピックアップ装置を得ることができる。
また、例えば、モードホップにより光源からの出射光束の波長が変動した場合でも、色消しを有効に行なうことができる。
あるいは、光ピックアップ装置の光学系全体の温度特性を改善できる。
【００６５】
請求項３３に記載の発明は、請求項３２に記載の対物光学素子であって、前記波長λの光束に対する光学系倍率ｍが、−０．２５≦ｍ≦−０．１を満たすことを特徴とする。
【００６６】
請求項３４に記載の発明は、請求項３２又は３３に記載の対物光学素子であって、前記位相差付与構造が、光軸を中心とした複数の輪帯面が光軸にほぼ平行な段差を介して連続し、各輪帯を通過した波長λの光束は情報記録面上において位相がほぼ揃っていることを特徴とする。
【００６７】
請求項３４に記載の発明によれば、請求項３２又は３３と同様の効果を得られるとともに、位相差付与構造の各輪帯を通過した波長λの光束は情報記録面上において位相がほぼ揃うので、波面収差を補正することができる。また、回折光を利用しないので、位相差付与構造に入射した光束の光量の低下を抑えて情報記録面上に集光させることができる。
【００６８】
請求項３５に記載の発明は、請求項３２〜３４のいずれか一項に記載の光学素子であって、前記位相差付与構造が、回折構造であることを特徴とする。
【００６９】
請求項３６に記載の発明は、請求項３２〜３５のいずれか一項に記載の光学素子であって、前記位相差付与構造が、光軸を中心とした複数の回折輪帯と、これら回折輪帯のうち少なくとも一つの回折輪帯の光学面に形成される光軸方向に沿った階段状の不連続面とからなることを特徴とする。
【００７０】
請求項３６に記載の発明によれば、請求項３２〜３５のいずれか一項と同様の効果を得られるとともに、階段状の不連続面が回折構造であれば、光学素子に形成した回折輪帯と階段状の不連続面との二段階で波長λの光束の回折次数を実質的に変化させることができるので、回折次数を適宜変化させて、光情報記録媒体に対する情報の記録及び／又は再生に応じた十分な光量を有する回折光を得ることができる。また、回折効率や回折次数に対する設計の自由度を増やすことができる。
また、階段状の不連続面が、光軸を中心とした複数の輪帯面であり、かつ、光軸にほぼ平行な段差を介して連続する構造であれば、各輪帯を通過した光束は情報記録面上において位相がほぼ揃うので、波面収差を補正することができる。また、回折光を利用しないので、位相差付与構造に入射した光束の光量の低下を抑えて情報記録面上に集光させることができる。
【００７１】
請求項３７に記載の発明は、請求項３２〜３６のいずれか一項に記載の光学素子であって、光学材料としてのガラス材料により成形されていることを特徴とする。
請求項３８に記載の発明は、請求項３２〜３７のいずれか一項に記載の光学素子であって、光学材料の分散ν、屈折率ｎが、６５≦ν≦７５、１．４８≦ｎ≦１．５２を満たすことを特徴とする。
【００７２】
請求項３９に記載の発明は、請求項３２〜３８のいずれか一項に記載の光学素子であって、光学材料の融点Ｔが、２５０℃≦Ｔ≦３００℃を満たすことを特徴とする。
【００７３】
請求項３９に記載の発明によれば、請求項３２〜３８のいずれか一項と同様の効果を得られるとともに、融点が一般的なガラス材料と比較して低い光学材料を用いるので、加工性が高くなり、従来では困難であったガラスレンズに対しても位相差付与構造を比較的容易に成形することが可能となる。
【００７４】
請求項４０に記載の光ピックアップ装置は、請求項３２〜３９のいずれか一項に記載の光学素子を備えることを特徴とする。
【００７５】
【発明の実施の形態】
［第１の実施の形態］
本発明の光学素子、対物光学素子及び光ピックアップ装置の第１の実施の形態を、図面を参照して説明する。
本実施の形態においては、本発明に係る光学素子を対物レンズに適用し、この対物レンズと、ビームスプリッタ等の他の光学素子を組み合わせて光ピックアップ装置１０が構成されている。
【００７６】
図１に示すように、光ピックアップ装置１０は、光源１１としての半導体レーザ、半導体レーザから出射された波長λ（３５０ｎｍ≦λ≦４５０ｎｍ）の光束を通過させると共に光情報記録媒体１３（本実施の形態においては高密度ＤＶＤ）で反射した光束を分岐するビームスプリッタ１２、光束を光情報記録媒体１３の情報記録面１４上に集光させる対物レンズ２０（対物光学素子）、対物レンズ２０を所定の方向に移動させる２次元アクチュエータ（図示せず）、凹レンズ１５、光情報記録媒体１３からの反射光を検出する光検出器１６等から概略構成される。
本実施の形態においては、光源１１から光束が発散光として対物レンズ２０に入射するいわゆる有限系の構成となっている。なお、コリメータ等を配置することにより平行光が対物レンズ２０に入射する無限系の構成としても良い。
符合１７は、光情報記録媒体１３の情報記録面１４を保護するために情報記録面１４上に形成される保護基板を指す。
【００７７】
このように構成された光ピックアップ装置１０の動作については周知であるため詳しい説明は省略するが、光源１１から出射された波長λの光束はビームスプリッタ１２を通過して対物レンズ２０の入射面２１に至り、後述する位相差付与構造３０により回折作用を受けて出射され、光情報記録媒体１３の情報記録面１４上に収束し、光軸Ｌ上にスポットＰを形成する。そして、スポットに集光した光束は情報記録面１４で情報ピットにより変調されて反射される。反射した光束は再び対物レンズ２０を通過して、ビームスプリッタ１２で反射して分岐される。
【００７８】
そして、分岐された光束は凹レンズ１５を経て光検出器１６に入射し、光検出器１６は入射光のスポットを検出して信号を出力し、その出力された信号を用いて光情報記録媒体１３に記録された情報の読み取り信号を得るようになっている。
また、光検出器１６上でのスポットの形状変化や位置変化による光量変化等を検出して合焦検出やトラック検出が行われる。この検出結果に基づいて２次元アクチュエータは光束がスポットとして情報記録面１４上に結像するように、対物レンズ２０をフォーカス方向及びトラッキング方向に移動させるようになっている。
【００７９】
図２に示すように、対物レンズ２０は入射面２１と出射面２２の両面が非球面の単レンズである。
入射面２１の全域には、入射光束に対して所定の位相差を付与する位相差付与構造３０が形成されている。
本実施の形態においては、位相差付与構造３０は、光軸Ｌを中心としたほぼ同心円状に形成されて入射光束を回折させる作用を有する複数の回折輪帯３１により構成されている。
【００８０】
各回折輪帯３１は光軸Ｌに沿った平面（子午断面）でみた場合に鋸歯状に形成されており、各回折輪帯３１に入射する特定波長の光束に対して所定の位相差を付与することにより光束に回折作用を与えるようになっている。
各回折輪帯３１の始点３１ａと終点３１ｂ（図２に一箇所だけ示す）は図２に示す所定の非球面Ｓ（以下、「母非球面Ｓ」という。）上に位置しており、各回折輪帯３１の形状は母非球面Ｓに対する光軸Ｌ方向への変位量で規定することができる。
【００８１】
また、母非球面Ｓは光軸Ｌを回転中心とする光軸Ｌからの距離に関する関数で規定することができる。なお、回折輪帯３１の設計手法については周知であるため説明を省略する。また、このような位相差付与構造３０を出射面２２のみに設けても良く、あるいは、入射面２１と出射面２２の両面に設けても良い。
また、図２の対物レンズ２０は、１つの光学素子で構成された対物レンズ２０であるが、２つ以上の光学素子を組み合わせて対物レンズ２０を構成する場合であっても、位相差付与構造３０を設ける光学面（入射面及び出射面）は適宜選択可能である。
【００８２】
対物レンズ２０は、光学材料として、温度変化に対する屈折率変化ｄｎ／ｄｔ（温度依存性）が、−１０．０×１０−６／℃≦ｄｎ／ｄｔ≦−１．０×１０−６／℃を満たすガラス材料により設計されている。
また、そのガラスの分散ν、屈折率ｎ、融点Ｔは、６５≦ν≦７５、１．４８≦ｎ≦１．５２、２５０℃≦Ｔ≦３００℃を満たす。
【００８３】
光学材料が上記条件を満たす場合、従来より用いられている一般的な光学材料と比較して、レンズの加工性が高くかつ温度変化に対する屈折率変化を小さくすることができる。従って、対物レンズ２０を温度依存性が低いガラスで成形でき、かつ、加工性が高いので、従来では困難であったガラスレンズに対しても回折構造も設けることが可能となる。
【００８４】
従って、従来のプラスチック製の対物レンズ２０では、温度特性と波長特性等、複数の特性の改善が可能となるように位相差付与構造３０を設計する必要があったが、本発明に係る光学素子によれば、ガラス材料で成形されることから、温度特性を考慮する必要が無くなり、位相差付与構造３０が温度特性を改善（補正）する必要が無くなり、各種収差補正の精度を向上できると共に、レンズ設計の自由度を増やすことができる。
【００８５】
また、位相差付与構造３０は、例えばモードホップにより、光源１１からの出射光束の波長がλから１ｎｍ変動した場合の当該波長変動前後における、光軸Ｌ方向に同じ位置での収差変動量を０．０５λｒｍｓ以下に補正する機能か、又は、温度変化時に光源１１から光情報記録媒体１３に至る光路上に配置された光学素子の総合により生じる、情報記録面１４上の集光スポットにおける収差を補正する機能を有する。
【００８６】
本実施の形態においては、上述のように対物レンズ２０に発散光が入射するいわゆる有限系の光ピックアップ装置１０を用いており、対物レンズ２０の波長λの光束に対する光学系倍率ｍが、−０．２５≦ｍ≦−０．１の範囲内となるように設計することが好ましい。
また、波長λの光束の焦点距離ｆを、０．２ｍｍ≦ｆ≦３．５ｍｍとし、波長λの光束により情報記録面１４上に形成される集光スポットの開口数ＮＡ（波長λの光束の像側の開口数）が、０．６３≦ＮＡ≦０．９５の範囲内となるように設計することが好ましい。
これら各条件を満たすことにより、青色レーザー光を用いる高密度ＤＶＤに対する情報の記録及び／又は再生を行なう光ピックアップ装置１０を得ることができる。
【００８７】
また、波長λを３５０ｎｍ≦λ≦４５０ｎｍの範囲内、光学系倍率ｍを負（好ましくは−０．２５≦ｍ≦−０．１の範囲内）、波長λの光束の焦点距離ｆを、０．２ｍｍ≦ｆ≦１．０ｍｍの範囲内、波長λの光束により情報記録面１４上に形成される集光スポットの開口数ＮＡ（波長λの光束の像側の開口数）を、０．５５≦ＮＡ≦０．７０の範囲内に設計することにより、対物レンズ２０の径を小さくすることができ、青色レーザー光を、従来の光ピックアップ装置１０よりも小型の装置に用いることができる。
【００８８】
また、波長λを６３０ｎｍ≦λ≦６８０ｎｍの範囲内、光学系倍率ｍを負（好ましくは−０．３０≦ｍ≦−０．１の範囲内）、波長λの光束の焦点距離ｆを好ましくは０．２ｍｍ≦ｆ≦３．５ｍｍの範囲内、波長λの光束により情報記録面１４上に形成される集光スポットの開口数ＮＡ（波長λの光束の像側の開口数）を好ましくは０．５５≦ＮＡ≦０．７５の範囲内に設計することにより、本発明に係る光学素子（対物レンズ２０）及び光ピックアップ装置１０を、ＤＶＤ及びＭＯに好適に用いることが可能となる。
【００８９】
なお、上記実施の形態においては、位相差付与構造３０として回折輪帯３１を複数形成した構造について説明したが本発明に係る位相差付与構造３０はこれに限定されるものではなく、例えば、図３に示すようなものであっても良い。
【００９０】
図３に示す対物レンズ２０は、位相差付与構造３０が、光軸Ｌを中心とした複数の輪帯面３２を、光軸Ｌにほぼ平行な段差３３を介して連続させて構成されている。
各輪帯面３２は光軸Ｌから離れるに従って光源１１側に突出するように形成されており、各輪帯面３２に入射する波長λの光束に対して所定の光路差を付与することにより、各光束に位相差が生じ、結果として各輪帯を通過した光束の位相が、情報記録面１４上でほぼ揃うようになっている。なお、各段差３３の形状は母非球面Ｓに対する光軸Ｌ方向への変位量で規定することができる。
【００９１】
図４に示す対物レンズ２０は、位相差付与構造３０が、光軸Ｌを中心とした複数の回折輪帯３４と、これら回折輪帯３４の光学面に形成される光軸Ｌ方向に沿った階段状の不連続面３５とから構成されている。
【００９２】
具体的には、対物レンズ２０には、光軸Ｌを中心とした、所定の非球面形状の光学面（母非球面Ｓ）に対して実質的な傾きをもつ鋸歯状の不連続面である複数の回折輪帯３４が形成されており、さらに、各回折輪帯３４の光学面上には、これら回折輪帯３４を通過する光束に対して所定の光路差を付与する、光軸Ｌに沿った階段状の不連続面３５が形成されている。
【００９３】
図５（ａ）、（ｂ）中に一点鎖線で示す線は、各回折輪帯３４の始点を結んでできる仮想の非球面形状からなる光学面（母非球面Ｓ）を表すものであり、二点鎖線で示す線は、光軸Ｌを中心として光軸Ｌから離れるにしたがってその厚みが増すように形成された、従来より周知の同心円状の鋸歯状の回折輪帯３４の外形を表すものである。
【００９４】
図５（ａ）、（ｂ）中に実線で示す線は、各回折輪帯３４の光学面上に形成されている、各回折輪帯３４を通過する光束に対して所定の光路差を付与する階段状の不連続面３５の外形を含む、実際のレンズ形状を表すものである。
各不連続面３５の深さｄ１（光軸Ｌ方向の長さ）は、波長λの光束に対する対物レンズ２０の屈折率をｎとした場合に、λ／（ｎ−１）で表される値とほぼ等しくなっており、一つの不連続面３５を通過する波長λの光束と、その隣の不連続面３５を通過する波長λの光束との間に、ほぼ１波長（λ）に相当する光路差が生じ、かつ波面のずれが生じない長さに設定されている。
また、各不連続面３５の形状は、図５中に二点鎖線で示した鋸歯状の回折輪帯３４の表面の形状を、各不連続面３５に対応する区間で分割して、光軸Ｌ方向に平行移動させた形状に近似したものとなっている。
【００９５】
このように、図４、５に示す位相差付与構造３０により、対物光学素子（対物レンズ２０）を通過する波長λの光束に対して所定の光路差を付与する機能を有すると共に、各不連続面３５の表面形状を、回折輪帯３４を各段差３３に対応する区間で分割して、光軸Ｌ方向に平行移動させた形状とすることにより、波長λの光束のうち最大の回折効率を有する回折光を抽出する機能を有することになる。
そして、対物光学素子に形成した回折輪帯３４と階段状の不連続面３５の二段階で波長λの光束の回折次数を実質的に変化させることができるので、例えば、回折次数を適宜変化させて、光情報記録媒体１３に対する情報の記録及び／又は再生に応じた十分な光量を有する回折光を得ることができる。また、回折効率や回折次数に対する設計の自由度を増やすことができる。
【００９６】
なお、本実施の形態においては、本発明の光学素子を対物レンズ２０に適用した場合について説明したが、これに限らず、光ピックアップ装置１０の光学系を構成する光学素子であれば良く、例えば、ビームエキスパンダ、カップリングレンズ、入射光束の光強度分布とは異なったほぼ均一な光強度分布となるように整形して出射するように構成された光学素子に適用しても良い。
【００９７】
［第２の実施の形態］
次に、図面を参照して本発明の第２の実施の形態を説明する。
本実施の形態においては光ピックアップ装置４０が、波長λ１とλ２の２種類の光束を、２種類の光情報記録媒体１３に対して用いる、いわゆる互換性を有する装置であり、対物レンズ２０の構成、焦点距離、開口数等が上記第１の実施の形態との主な相違点であるため、以下、この相違点についておもに説明する。
【００９８】
図６に示すように、光ピックアップ装置４０は、第１の光源１１ａから出射される波長λ１（３５０ｎｍ≦λ１≦４５０ｎｍ）の光束を第１の光情報記録媒体１３としてのＤＶＤの情報記録面１４上に集光させることにより、第１の光情報記録媒体１３に対する情報の再生及び／又は記録を行い、第２の光源１１ｂから出射される波長λ２（６３０ｎｍ≦λ２≦６８０ｎｍ）の光束を第２の光情報記録媒体１３としてのＣＤの情報記録面１４上に集光させることにより、第２の光情報記録媒体１３に対する情報の再生及び／又は記録を行うようになっている。
半導体レーザ光源１１は、波長λ１の光束を出射する第１の光源１１ａと波長λ２の光束を出射する第２の光源１１ｂとが一体（１パッケージ）に構成されている。なお、当然これら光源１１ａ、１１ｂを別体に配置してもよい。
波長λ１とλ２の各光束の光路は、上記第１の実施の形態で説明したものとほぼ同様であり、また、従来より周知であるため説明を省略する。
【００９９】
図７に示すように、対物レンズ２０は入射面２１と出射面２２の両面が非球面の単レンズであり、入射面２１のほぼ全域に位相差付与構造３０が形成されている。
位相差付与構造３０としては、図２に示した上記第１の実施の形態における回折輪帯３１と同様のものを用いている。
そして、回折輪帯３１を通過する波長λ１と波長λ２の光束のいずれか一方のみ、あるいは、両方に対して回折作用を与えることで、これら各波長の光束に対する、光学系倍率及び／又は波長の違いによって生じる球面収差を補正する機能を位相差付与構造が有することになる。
【０１００】
対物レンズ２０は、光学材料として、温度変化に対する屈折率変化ｄｎ／ｄｔ（温度依存性）が、−１０．０×１０−６／℃≦ｄｎ／ｄｔ≦−１．０×１０−６／℃を満たすガラス材料により設計されている。
また、そのガラスの分散ν、屈折率ｎ、融点Ｔは、６５≦ν≦７５、１．４８≦ｎ≦１．５２、２５０℃≦Ｔ≦３００℃を満たす。
【０１０１】
光学材料が上記条件を満たす場合、従来より用いられている一般的な光学材料と比較して、レンズの加工性が高くかつ温度変化に対する屈折率変化を小さくすることができる。従って、対物レンズ２０を温度依存性が低いガラスで成形でき、かつ、加工性が高いので、従来では困難であったガラスレンズに対しても回折構造も設けることが可能となる。
従って、上記第１の実施の形態と同様に、対物レンズ２０がガラス材料で成形されることから、温度特性を考慮する必要が無くなり、位相差付与構造３０が温度特性を改善（補正）する必要が無くなり、各種収差補正の精度を向上できると共に、レンズ設計の自由度を増やすことができる。
【０１０２】
なお、対物レンズ２０の波長λ１の光束に対する焦点距離ｆ１を０．２ｍｍ≦ｆ１≦３．５ｍｍとし、波長λ１の光束により情報記録面１４上に形成される集光スポットの開口数ＮＡ１（波長λ１の光束の像側の開口数）が、０．６３≦ＮＡ１≦０．９５の範囲内となるように設計することが好ましい。
これら各条件を満たすことにより、波長λ１の光束としての青色レーザー光を適切に情報記録面１４上に集光させ、高密度ＤＶＤに対する情報の記録及び／又は再生を行ない、波長λ２の光束を適切に情報記録面１４上に集光させ、ＤＶＤに対する情報の記録及び／又は再生を行なう光ピックアップ装置１０を得ることができる。
【０１０３】
また、波長λ１を６３０ｎｍ≦λ１≦６８０ｎｍの範囲内、波長λ２を７５０ｎｍ≦λ２≦８００ｎｍの範囲内、波長λ１の光束に対する光学系倍率ｍ１をｍ１≠０（好ましくは−０．３≦ｍ１≦−０．１の範囲内）、波長λ２の光束に対する光学系倍率ｍ２をｍ２≠０とし、波長λ１の光束の焦点距離ｆ１を好ましくは０．５ｍｍ≦ｆ１≦３．５ｍｍの範囲内、波長λ１の光束により情報記録面１４上に形成される集光スポットの開口数ＮＡ１（波長λ１の光束の像側の開口数）を好ましくは０．５５≦ＮＡ１≦０．７５の範囲内に設計することが好ましい。
これら各条件を満たすことにより、波長λ１の光束を適切に情報記録面１４上に集光させ、ＤＶＤに対する情報の記録及び／又は再生を行ない、波長λ２の光束を適切に情報記録面１４上に集光させ、ＣＤに対する情報の記録及び／又は再生を行なう光ピックアップ装置１０を得ることができる。
【０１０４】
なお、上記実施の形態においては、位相差付与構造３０として回折輪帯３１を複数形成した構造について説明したが、本発明に係る位相差付与構造３０はこれに限定されるものではなく、第１の実施の形態において示したような構造（図２〜図５を参照。）であってもよい。
【０１０５】
また、図８に示すように、対物レンズ２０の入射面２１を、光軸Ｌを中心とした高さｈ以下の範囲（以下、「中央領域Ａ１」という。）と、この中央領域Ａ１の周囲を覆う周辺領域Ａ２の２つの領域に区分し、周辺領域Ａ２にのみ、あるいは中央領域Ａ１と周辺領域Ａ２の両方に上記位相差付与構造３０を設けるものとしても良い。なお、入射面２１を２つ以上の領域に区分しても良い。
【０１０６】
このように、入射面２１を複数の領域に区分して、各領域を通過する光束に対して異なる回折作用を与えるようにレンズ設計を行なうことにより、例えば、波長λ１の光束は中央領域Ａ１と周辺領域Ａ２を通過する際に回折作用を受けてＤＶＤの情報記録面１４上に収束させ、波長λ２の光束のうち、中央領域Ａ１を通過する光束は回折作用を受けてＣＤの情報記録面１４上に収束させ、周辺領域Ａ２を通過する光束はフレア光となるように回折作用を与えて、ＣＤの情報記録面１４上に収束させない構成とすることができる。
このような構成とすることにより、波長λ２の光束の一部を情報記録面１４上に集光させないといういわゆる開口制限機能を対物レンズ２０に持たせることが可能となる。
【０１０７】
本実施の形態においては、波長λ１が３５０ｎｍ〜４５０ｎｍ、波長λ２が６３０〜６８０ｎｍの高密度ＤＶＤ／ＤＶＤ互換に用いる場合には、位相差付与構造は、上述した、λ１とλ２の各波長の光束に対する、光学系倍率及び／又は波長の違いによって生じる球面収差を補正する機能と、位相差付与構造を通過した第２の波長λ２の光束を第２の光情報記録媒体の情報記録面上に集光させない開口制限機能の両方を有する。
また、波長λ１が６３０ｎｍ〜６８０ｎｍ、波長λ２が７５０〜８００ｎｍのＤＶＤ／ＣＤ互換に用いる場合には、位相差付与構造は、各波長の光束に対する、主に基板厚の違いによって生じる球面収差を補正する機能を有するか、又は、該位相差付与構造を通過した波長λ２の光束を第２の光情報記録媒体の情報記録面上に集光させない開口制限機能のいずれかを有する。
なお、後述する実施例１及び３では位相差付与構造は互換機能と開口制限機能の両方を有し、実施例２では位相差付与構造は互換機能のみを有している。
【０１０８】
【実施例】
［実施例１］
次に、対物レンズ及び光ピックアップ装置の第１の実施例について説明する。
本実施例においては、図６に示したものと同様に、波長λ１の光束と波長λ２の光束をそれぞれＤＶＤとＣＤに対して用いることが可能な、互換性を有する光ピックアップ装置の構成となっている。
【０１０９】
また、図８に示したものと同様に、両面非球面の単レンズである対物レンズの一方の光学面（入射面）上であって、光軸Ｌからの高さｈが１．１６ｍｍ以下の中央領域Ａ１と１．１６ｍｍ以上の周辺領域Ａ２にそれぞれ位相差付与構造としての回折輪帯を備えている。
また、対物レンズは、光学材料として、温度変化に対する屈折率変化ｄｎ／ｄｔ（温度依存性）が、−１０．０×１０−６／℃≦ｄｎ／ｄｔ≦−１．０×１０−６／℃を満たすガラス材料により設計されている。
また、そのガラスの分散ν、屈折率ｎ、融点Ｔは、６５≦ν≦７５、１．４８≦ｎ≦１．５２、２５０℃≦Ｔ≦３００℃を満たす。
【０１１０】
なお、図８は本実施例で使用する対物レンズの概略図を示すものである。従って、回折輪帯３１の数や、レンズ径に対する中央領域Ａ１と周辺領域Ａ２が径方向に占める割合などは、本実施例の対物レンズと必ずしも一致するものではない。
表１、表２に対物レンズのレンズデータを示す。
【０１１１】
【表１】
2004265524.tif 000003
【表２】
2004265524.tif 000004
【０１１２】
表１に示すように、本実施例の対物レンズは、第１の光源から出射される波長λ１＝６７０ｎｍのときの焦点距離ｆ１＝２．２２ｍｍ、像側開口数ＮＡ１＝０．６０、結像倍率ｍ１＝−１／１０に設定されており、第２の光源から出射される波長λ２＝７８９ｎｍのときの焦点距離ｆ２＝２．２３ｍｍ、像側開口数ＮＡ２＝０．４６、結像倍率ｍ２＝−１／１０に設定されている。
表１中の面番号２、２´はそれぞれ対物レンズの入射面のうち光軸Ｌからの高さｈが１．１６ｍｍ以下の中央領域Ａ１、ｈが１．１６ｍｍ以上の周辺領域Ａ２、面番号３は出射面を示している。また、ｒｉは曲率半径、ｄｉは第ｉ面から第ｉ＋１面までの光軸Ｌ方向の位置、ｎｉは各面の屈折率を表している。
【０１１３】
対物レンズの第２面、第２´面、第３面は、それぞれ次式（数１）に表１及び表２に示す係数を代入した数式で規定される、光軸Ｌの周りに軸対称な非球面に形成されている。
また、第２面の回折構造に関するブレーズ化波長は１ｍｍ、第２´面の回折構造に関するブレーズ化波長も１ｍｍである。
【０１１４】
【数１】
2004265524.tif 000005
【０１１５】
ここで、Ｘ（ｈ）は光軸Ｌ方向の軸（光の進行方向を正とする）、κは円錐係数、Ａ２ｉは非球面係数である。
【０１１６】
また、第２面と第２´面に形成される回折輪帯のピッチは数２の光路差関数に、表２に示す係数を代入した数式で規定される。
【０１１７】
【数２】
2004265524.tif 000006
ここで、Ｂ２ｉは光路差関数の係数である。
【０１１８】
図９は、波長λ１＝６７０ｎｍの光束を用いた、ＤＶＤにおける球面収差量を示すグラフであり、図１０は、波長λ２＝７８９ｎｍの光束を用いた、ＣＤにおける球面収差量と開口数を示すグラフである。
図９及び図１０から、ＤＶＤとＣＤ共に必要開口数内において球面収差が良好に補正されていることが分かる。
【０１１９】
［実施例２］
次に、対物レンズ及び光ピックアップ装置の第２の実施例について説明する。
本実施例においても、図６に示したものと同様に、波長λ１の光束と波長λ２の光束をそれぞれＤＶＤとＣＤに対して用いることが可能な、互換性を有する構成となっている。
【０１２０】
また、図示は省略するが、両面非球面の単レンズである対物レンズの一方の光学面（入射面）上であって、光軸Ｌからの高さｈが０．７８ｍｍ以下の中央領域と０．７８ｍｍ〜１．１６ｍｍの中間領域と、１．１６ｍｍ以上の周辺領域に区分され、中間領域に位相差付与構造としての回折輪帯を備えている。
【０１２１】
また、対物レンズは、光学材料として、温度変化に対する屈折率変化ｄｎ／ｄｔ（温度依存性）が、−１０．０×１０−６／℃≦ｄｎ／ｄｔ≦−１．０×１０−６／℃を満たすガラス材料により設計されている。
また、そのガラスの分散ν、屈折率ｎ、融点Ｔは、６５≦ν≦７５、１．４８≦ｎ≦１．５２、２５０℃≦Ｔ≦３００℃を満たす。
表３、表４に対物レンズのレンズデータを示す。
【０１２２】
【表３】
2004265524.tif 000007
【表４】
2004265524.tif 000008
【０１２３】
表３に示すように、本実施例の対物レンズは、第１の光源から出射される波長λ１＝６７０ｎｍのときの焦点距離ｆ１＝２．２２ｍｍ、像側開口数ＮＡ１＝０．６０、結像倍率ｍ１＝−１／１０に設定されており、第２の光源から出射される波長λ２＝７８９ｎｍのときの焦点距離ｆ２＝２．２３ｍｍ、像側開口数ＮＡ２＝０．４６、結像倍率ｍ２＝−１／１０に設定されている。
表１中の面番号２、２´、２´´はそれぞれ対物レンズの入射面の中央領域、中間領域、周辺領域、面番号３は出射面を示している。また、ｒｉは曲率半径、ｄｉは第ｉ面から第ｉ＋１面までの光軸Ｌ方向の位置、ｎｉは各面の屈折率を表している。
【０１２４】
対物レンズの第２面、第２´、第２´´面、第３面は、それぞれ上記数１に表３及び表４に示す係数を代入した数式で規定される、光軸Ｌの周りに軸対称な非球面に形成されている。
また、第２´面の回折構造に関するブレーズ化波長は１ｍｍである。
【０１２５】
また、回折輪帯のピッチは上記数２の光路差関数に、表４に示す係数を代入した数式で規定される。
【０１２６】
図１１は、波長λ１＝６７０ｎｍの光束を用いた、ＤＶＤにおける球面収差量を示すグラフであり、図１２は、波長λ２＝７８９ｎｍの光束を用いた、ＣＤにおける球面収差量を示すグラフである。
図１１及び図１２から、ＤＶＤとＣＤ共に必要開口数内において球面収差が良好に補正されていることが分かる。
【０１２７】
［実施例３］
次に、対物レンズ及び光ピックアップ装置の第３の実施例について説明する。
本実施例においては、図１に示したものと同様に、青色レーザー光を用いて高密度ＤＶＤに対して情報の再生及び／又は記録を行なうものである。
また、図２に示すように、対物レンズの入射面のほぼ全域に、位相差付与構造としての回折輪帯を設けることにより、例えばモードホップにより、光源からの出射光束の波長が変化した際に生じる色収差を、この位相差付与構造により補正する機能を有している。
【０１２８】
また、対物レンズは、光学材料として、温度変化に対する屈折率変化ｄｎ／ｄｔ（温度依存性）が、−１０．０×１０−６／℃≦ｄｎ／ｄｔ≦−１．０×１０−６／℃を満たすガラス材料により設計されている。
また、そのガラスの分散ν、屈折率ｎ、融点Ｔは、６５≦ν≦７５、１．４８≦ｎ≦１．５２、２５０℃≦Ｔ≦３００℃を満たす。
表５、表６に対物レンズのレンズデータを示す。
【０１２９】
【表５】
2004265524.tif 000009
【表６】
2004265524.tif 000010
【０１３０】
表５に示すように、本実施例の対物レンズは、光源から出射される波長λ＝４０５ｎｍのときの焦点距離ｆ＝１．７６ｍｍ、像側開口数ＮＡ＝０．８５、結像倍率ｍ＝０に設定されている。
表５中の面番号２は対物レンズの入射面、面番号３は出射面を示している。また、ｒｉは曲率半径、ｄｉは第ｉ面から第ｉ＋１面までの光軸Ｌ方向の位置、ｎｉは各面の屈折率を表している。
【０１３１】
対物レンズの第２面、第３面は、それぞれ上記数１に表５及び表６に示す係数を代入した数式で規定される、光軸Ｌの周りに軸対称な非球面に形成されている。
また、第２面の回折構造に関するブレーズ化波長は１ｍｍである。
【０１３２】
また、回折輪帯のピッチは上記数２の光路差関数に、表６に示す係数を代入した数式で規定される。
【０１３３】
図１３は、波長λ＝４０５ｎｍの光束を用いた、高密度ＤＶＤにおける球面収差量及びモードホップにより波長λが４０４ｎｍ（−１ｎｍ）と４０６ｎｍ（＋１ｎｍ）に変動した場合の縦球面収差図である。横軸は、波長４０５ｎｍの場合に波面収差が最小となる位置を０にとっている。
図１３から、モードホップにより波長が変動した場合でも、必要開口数内において波面収差が良好に補正されていることが分かる。
【０１３４】
【発明の効果】
本発明によれば、光学素子をガラス材料で成形することが可能となることから、プラスチック性の光学素子を用いる場合と比較して、位相差付与構造に温度特性を補正する機能を持たせる必要が無くなり、収差補正の精度を向上できると共に、レンズ設計の自由度を増やすことができる。
【図面の簡単な説明】
【図１】光ピックアップ装置の構成を示す要部平面図である。
【図２】対物レンズの構造を示す要部横断面図である。
【図３】対物レンズの構造を示す要部横断面図である。
【図４】対物レンズの構造を示す要部横断面図である。
【図５】対物レンズの構造を示す要部横断面図（ａ）及び拡大図（ｂ）である。
【図６】光ピックアップ装置の構成を示す要部平面図である。
【図７】対物レンズの構造を示す要部横断面図である。
【図８】対物レンズの構造を示す要部横断面図である。
【図９】実施例１におけるＤＶＤの縦球面収差図である。
【図１０】実施例１におけるＣＤの縦球面収差図である。
【図１１】実施例２におけるＤＶＤの縦球面収差図である。
【図１２】実施例２におけるＣＤの縦球面収差図である。
【図１３】実施例３におけるモードホップ時の縦球面収差図である。
【符号の説明】
Ｌ      光軸
１０    光ピックアップ装置
１３    光情報記録媒体
１４    情報記録面
２０    光学素子（対物光学素子）
３０    位相差付与構造
３２    輪帯面
３３    段差
３４    回折輪帯
３５    不連続面
４０    光ピックアップ装置
【図１】
2004265524.tif 000011
【図２】
2004265524.tif 000012
【図３】
2004265524.tif 000013
【図４】
2004265524.tif 000014
【図５】
2004265524.tif 000015
【図６】
2004265524.tif 000016
【図７】
2004265524.tif 000017
【図８】
2004265524.tif 000018
【図９】
2004265524.tif 000019
【図１０】
2004265524.tif 000020
【図１１】
2004265524.tif 000021
【図１２】
2004265524.tif 000022
【図１３】
2004265524.tif 000023